(57)【要約】【課題】二次電池の充放電動作を制御することが可能な電子機器を提供とすることを目的とする。【解決手段】メカニカルカルスイッチ７を操作する（Ｓ１）ことで、信号７ａが出力される（Ｓ２）。第１のＯＲ回路１３に、信号７ａと安全回路１２から出力される信号１２ａとが入力され、ＯＲされる（Ｓ３）。第１のＯＲ回路１３に信号７ａと信号１２ａとが入力されることで生成される信号１３ａは、放電スイッチ１６に入力され（Ｓ４）放電スイッチ１６は開放される（Ｓ５）。一方、第２のＯＲ回路１４に、メカニカルスイッチ７を操作したことで出力された信号７ａと安全回路１２から出力される信号１２ａとが入力され、ＯＲされる（Ｓ６）。第２のＯＲ回路１４に信号７ａと信号１２ａとが入力されることで生成される信号１４ａは、充電回路１５に入力され（Ｓ７）充電回路１５は開放される（Ｓ８）。【選択図】  図４
2005025408.tif 000002
【特許請求の範囲】
【請求項１】
本体と、
前記本体に装備される二次電池と、
前記二次電池への充電を制御する充電回路と、
前記二次電池からの放電を制御する放電スイッチと、
前記本体に設けられるとともに、前記充電回路及び前記放電スイッチとを開放させるスイッチと、
を具備することを特徴とする電子機器。
【請求項２】
本体と、
前記本体に装備される二次電池と、
前記二次電池への充電を制御する充電回路と、
前記二次電池からの放電を制御する放電スイッチと、
前記充電回路と前記放電スイッチの開放を制御する安全回路と、
前記本体に設けられるとともに、前記安全回路を制御するスイッチとを具備し、
前記スイッチの操作に基いて、前記安全回路が前記充電回路と前記放電スイッチとを開放することを特徴とする電子機器。
【請求項３】
前記安全回路から出力される第１の信号と、
前記スイッチを操作することで出力される第２の信号と
前記第１の信号及び前記第２の信号が入力信号であるとともに、前記充電回路と前記放電スイッチとを開放させる信号が出力信号であるＯＲ回路とを具備し、
前記スイッチの操作に基いて、前記第１の信号及び前記第２の信号が前記ＯＲ回路に入力されることで、前記充電回路と前記放電スイッチとを開放させる出力信号を出力させることを特徴とする請求項２記載の電子機器。
【請求項４】
本体と、
前記本体に装備される二次電池と、
前記二次電池への充電を制御する充電回路と、
前記本体に設けられるとともに、前記充電回路を制御するスイッチとを具備し、
前記スイッチの操作に基いて、前記充電回路を制御することで、前記二次電池は、当該二次電池の電圧値が所定の値に達するまで充電されることを特徴とする電子機器。
【請求項５】
前記二次電池の電圧値が所定の値に達するまで充電された後、前記二次電池の電圧値が所定の値まで低下した場合、前記充電回路は前記二次電池への充電を開始させることを特徴とする請求項４記載の電子機器。
【請求項６】
前記スイッチの操作に基いて制御されるマイコンと、
前記スイッチの操作に基いて、前記マイコンは、前記二次電池への所定の充電動作を制御することを特徴とする請求項４記載の電子機器。
【請求項７】
本体と、
前記本体に装備される二次電池と、
前記二次電池への充電を制御する充電回路と、
前記本体に設けられるとともに、前記充電回路を制御するスイッチとを具備し、
前記スイッチの操作に基いて、前記充電回路が、前記二次電池の充電開始電圧値に対する充電終了電圧値を接近させる一定値の充電電流で、前記二次電池への充電を行うことを特徴とする電子機器。
【請求項８】
二次電池の充放電を制御するスイッチを具備する電子機器に装備される二次電池の充放電制御方法において、
前記スイッチを操作することで、前記二次電池への充電を制御する充電回路と前記二次電池からの放電を制御する放電スイッチとを開放することを特徴とする充放電制御方法。
【請求項９】
二次電池の充電を制御するスイッチを具備する電子機器に装備される二次電池の充電制御方法において、
前記スイッチを操作することで、前記二次電池への充電を制御する充電回路は、前記二次電池の電圧値が所定の値に達するまで充電することを特徴とする充電制御方法。
【請求項１０】
前記二次電池の電圧値が所定の値に達するまで充電された後、前記二次電池の電圧値が所定の値まで低下した場合、前記充電回路は、前記二次電池への充電を開始させることを特徴とする請求項９記載の充電制御方法。
【請求項１１】
二次電池の充電を制御するスイッチを具備する電子機器に装備される二次電池の充電制御方法において、
前記スイッチを操作することで、前記二次電池への充電を制御する充電回路は、前記二次電池の充電開始電圧値に対する充電終了電圧値を接近させる一定値の充電電流で、前記二次電池への充電を行うことを特徴とする充電制御方法。
【発明の詳細な説明】
【０００１】
【発明の属する技術分野】
本発明は、二次電池を搭載した電子機器及び、二次電池の充放電制御方法及び充電制御方法に関する。
【０００２】
【従来の技術】
従来、ノート型パソコンは、充電可能である二次電池パックを内蔵しており、当該二次電池パック中の二次電池を主電源として用いるように設計されている。このように、二次電池は、ノート型パソコンの主電源として使用されるため、当該ノート型パソコンのユーザにとって、二次電池の寿命が長い方が好ましい。
【０００３】
そこで、二次電池の寿命を長くすることを目的とする幾つかの発明がなされており、これらの発明を、以下に記載する。
【０００４】
まず、ノート型パソコンの基体部にバッテリへの充電を制御するスイッチ手段を設け、当該バッテリが概ね放電完了時点にのみ、手動又は自動的に当該バッテリの充電動作を行うことで、当該バッテリの長寿命化を図る、という技術があった（特許文献１参照。）。
【０００５】
また、リチウムイオン二次電池を満充電と判定する設定電圧を切り換える電圧切換回路を設けることで、例えば「長寿命モード」と「高容量モード」とを設ける、という技術があった（特許文献２参照）。
【０００６】
【特許文献１】
特開２００２−２９７２６８号公報（第２頁、第２図）
【０００７】
【特許文献２】
特開２００２−７８２２２号公報（第３頁、第１図）
【０００８】
【発明が解決しようとする課題】
しかしながら、特許文献１に開示される先行技術は、バッテリへの充電を制御するスイッチ手段によって、充電動作を停止させることで、当該二次電池の寿命を延ばす技術であり、二次電池からの自己放電等を考慮した技術ではない。
【０００９】
また、特許文献２に開示される先行技術は、二次電池の寿命及び容量を制御するように、当該二次電池にスイッチを設けた技術である。
【００１０】
さて、上記した従来技術群は、例えばノート型パソコンにおいて、主電源としてＡＣ電源では無く、二次電池を使用することを考慮してなされた発明であった。
【００１１】
しかし、近年におけるノート型パソコンの使用形態として、ほとんど常にＡＣ電源の確保が可能な机上で当該ノート型パソコンを使用する、つまり、ほとんど常にＡＣ電源を確保することが可能な状態で、当該ノート型パソコンを使用する、という使用形態もなされている。
【００１２】
このような使用形態でノート型パソコンを使用する場合、当該ノート型パソコンは、メイン電源として二次電池を使用せずに、ＡＣ電源を使用すればよい。二次電池を使用しない、つまり二次電池の充放電動作を回避することで、当該二次電池を常に使用する場合と比較して、二次電池の寿命を長くすることが可能となる。
【００１３】
そこで、本発明は、二次電池の充放電動作を制御することが可能な電子機器を提供とすることを目的とする。
【００１４】
【課題を解決するための手段】
上記目的を達成するために、請求項１に係る発明では、本体と、本体に装備される二次電池と、二次電池への充電を制御する充電回路と、二次電池からの放電を制御する放電スイッチと、本体に設けられるとともに、充電回路及び放電スイッチとを開放させるスイッチとを具備することを特徴とする。
【００１５】
このような構成により、二次電池に対する充電及び二次電池からの放電を停止させることが可能となる。
【００１６】
また、請求項４に係る発明では、本体と、本体に装備される二次電池と、二次電池への充電を制御する充電回路と、本体に設けられるとともに、充電回路を制御するスイッチとを具備し、スイッチの操作に基いて、充電回路を制御することで、二次電池は、当該二次電池の電圧値が所定の値に達するまで充電されることを特徴とする。
【００１７】
このような構成により、二次電池を満充電しないことで、二次電池に対する負担を軽減することが可能となる。
【００１８】
また、請求項７に係る発明では、本体と、本体に装備される二次電池と、二次電池への充電を制御する充電回路と、本体に設けられるとともに、充電回路を制御するスイッチとを具備し、スイッチの操作に基いて、充電回路が、二次電池の充電開始電圧値に対する充電終了電圧値を接近させる一定値の充電電流で、二次電池への充電を行うことを特徴とする。
【００１９】
このような構成により、二次電池に対する負担を軽減することが可能となる。
【００２０】
また、請求項８に係る発明では、二次電池の充放電を制御するスイッチを具備する電子機器に装備される二次電池の充放電制御方法において、スイッチを操作することで、二次電池への充電を制御する充電回路と二次電池からの放電を制御する放電スイッチとを開放することを特徴とする。
【００２１】
このような構成により、二次電池に対する充電及び二次電池からの放電を停止させることが可能となる。
【００２２】
また、請求項９に係る発明では、二次電池の充電を制御するスイッチを具備する電子機器に装備される二次電池の充電制御方法において、スイッチを操作することで、二次電池への充電を制御する充電回路は、二次電池の電圧値が所定の値に達するまで充電することを特徴とする。
【００２３】
このような構成により、二次電池を満充電しないことで、二次電池に対する負担を軽減することが可能となる。
【００２４】
また、請求項１１に係る発明では、二次電池の充電を制御するスイッチを具備する電子機器に装備される二次電池の充電制御方法において、スイッチを操作することで、二次電池への充電を制御する充電回路は、二次電池の充電開始電圧値に対する充電終了電圧値を接近させる一定値の充電電流で、二次電池への充電を行うことを特徴とする。
【００２５】
このような構成により、二次電池に対する負担を軽減することが可能となる。
【００２６】
【発明の実施の形態】
以下、本発明に係る実施の形態を、パーソナルコンピュータに適用して説明する。
【００２７】
図１は本発明におけるパーソナルコンピュータを表す斜視図である。
【００２８】
パーソナルコンピュータ１は本体２と表示部３とで構成される。本体２の上面には、入力部５が設けられる。この入力部５は、例えばキーボードである。入力部５を用いて入力されたデータは、表示部３に設けられたＬＣＤ４に表示される。
【００２９】
本体２には、充放電可能な二次電池パック６が内蔵される。この二次電池パック６の充放電動作を制御するメカニカルスイッチ７（スイッチ）が、本体２の側部に設けられる。
【００３０】
図２は、第１の実施形態に係る電源部分の回路を示した図である。
【００３１】
図３は、スイッチング電源の内部構造を示した図である。
【００３２】
電源部分の回路１０は、ＡＣアダプタと接続される入力部スイッチ１７、入力部スイッチ１７と接続される充電回路１５、入力部スイッチ１７及び充電回路１５の制御等を行うマイコン１８、充電回路１５によって充電される二次電池パック６、二次電池パック６の放電を制御する放電スイッチ１６、さらに放電スイッチ１６等と接続されるスイッチング電源１９から構成される。二次電池パック６は、電池セル１１と安全回路１２とから構成される。
【００３３】
また、図１を用いて説明したメカニカルスイッチ７を操作させることで出力される信号７ａと安全回路１２から出力される信号１２ａとをＯＲする第１のＯＲ回路１３及び第２のＯＲ回路１４とを電源部分の回路１０に設ける。
【００３４】
入力部スイッチ１７のスイッチオンオフの制御は、マイコン１８によって制御される。入力部スイッチ１７がスイッチオン状態の場合、ＡＣアダプタを介して入力される電力は、ライン１７ｂを通じて充電回路１５へ、また、ライン１７ａを通じてスイッチング電源１９に供給される。
【００３５】
充電回路１５は、ＡＣアダプタから入力部スイッチ１７を介して供給される電力を、電池セル１１に充電する。また、電池セル１１の電圧は、マイコン１８によって監視されており、電池セル１１の状態が満充電状態になると、マイコン１８の制御により、電池セル１１への充電を停止する。
【００３６】
安全回路１２は、電池セル１１の電圧値が、所定の値よりも低下したのを検知すると、放電スイッチ１６をスイッチオフ状態にする。放電スイッチ１６のスイッチ状態をスイッチオフ状態にすることで、電池セル１１からの放電を停止する。
【００３７】
また、電池セル１１の状態が満充電状態になると、上述で説明した通り、マイコン１８の制御によって、充電回路１５を介した電池セル１１への充電を停止する。しかし、何らかの理由で電池セル１１へ充電がさらに継続され、当該電池セル１１の電圧が、所定の電圧値より上昇したのを検知すると、安全回路１２は、充電回路１５を強制的に開放して、電池セル１１への充電を停止させる。
【００３８】
放電スイッチ１６は、安全回路１２等からの信号に基いて、当該放電スイッチのオンオフ制御がなされる。放電スイッチ１６がオフ状態にされると、電池セル１１からの放電が行われなくなる。
【００３９】
第１のＯＲ回路１３は、メカニカルスイッチ７を操作することで出力される信号７ａと安全回路１２から出力される信号１２ａとが入力されることで、放電スイッチ１６を開放する信号１３ａを出力する。
【００４０】
第２のＯＲ回路１４は、メカニカルスイッチ７を操作することで出力される信号７ａと安全回路１２から出力される信号１２ａとが入力されることで、充電回路１５を開放する信号１４ａを出力する。
【００４１】
メカニカルスイッチ７を操作しない場合、すなわち信号７ａが出力されない場合、安全回路１２は、放電スイッチ１６及び充電回路１５に対して、上述で説明した動作を行う。
【００４２】
図３を参照にして、スイッチング電源１９の内部構造を説明する。スイッチング電源１９は、第１のダイオード１９ａ及び第２のダイオード１９ｂを具備する。第１のダイオード１９ａのアノード側は、入力部スイッチ１７とライン１７ａで結ばれている。また、第２のダイオード１９ｂのアノード側は、放電スイッチ１６とライン１６ａで結ばれている。さらに、第１のダイオード１９ａのカソード側は、第２のダイオード１９ｂのカソード側１９ｃと接続されている。
【００４３】
ＡＣアダプタが本パーソナルコンピュータ１に正常に接続されている場合、ＡＣアダプタから供給される電力が、入力部スイッチ１７を介してスイッチ電源１９へ供給される。従って、電池セル１１から放電スイッチ１６を介してスイッチ電源１９へ電流は流れない。つまり、電池セル１１は、放電を行わないので、電池セル１１に対して充電がなされない。
【００４４】
図４は、第１の実施形態における制御手順を示すフローチャートである。
【００４５】
メカニカルカルスイッチ７を操作する（ステップ  Ｓ１）。例えば、メカニカルスイッチ７がスライドタイプのスイッチである場合、当該スイッチをスライドさせる。メカニカルスイッチ７を操作したことで、信号７ａが出力される（ステップ  Ｓ２）。
【００４６】
第１のＯＲ回路１３に、メカニカルスイッチ７を操作したことで出力された信号７ａと安全回路１２から出力される信号１２ａとが入力され、ＯＲされる（ステップ  Ｓ３）。
【００４７】
第１のＯＲ回路１３に信号７ａと信号１２ａとが入力されることで生成される信号１３ａは、放電スイッチ１６に入力される（ステップ  Ｓ４）。
【００４８】
信号１３ａが放電スイッチ１６に入力されることで、放電スイッチ１６は開放される（ステップ  Ｓ５）。
【００４９】
一方、第２のＯＲ回路１４に、メカニカルスイッチ７を操作したことで出力された信号７ａと安全回路１２から出力される信号１２ａとが入力され、ＯＲされる（ステップ  Ｓ６）。
【００５０】
第２のＯＲ回路１４に信号７ａと信号１２ａとが入力されることで生成される信号１４ａは、充電回路１５に入力される（ステップ  Ｓ７）。
【００５１】
信号１４ａが充電回路１５に入力されることで、充電回路１５は開放される（ステップ  Ｓ８）。
【００５２】
ユーザがメカニカルスイッチ７を操作するという単純な動作によって、放電スイッチ１６及び充電回路１５が開放されることで、電池セル１１に対する充電及び放電を停止させることが可能となる。従って、電池セル１１の寿命が短くなることを防ぐことが可能となる。
【００５３】
ここで、本発明に係るパーソナルコンピュータにＡＣアダプタが正常に接続されている状態において、メカニカルスイッチ７を操作することで充電回路１５及び放電スイッチ１６とを開放した場合、ＡＣアダプタを介して供給される電力が入力部スイッチ１７を介してスイッチ電源１９へ供給されることで、本発明に係るパーソナルコンピュータは、正常に稼動する。
【００５４】
図５は、第２の実施形態に係る電源部分の回路を示した図である。
【００５５】
図２を用いて説明した電源部分の回路１０と共通する内容の説明は省略する。メカニカルスイッチ７を操作させることで出力される信号７ｂは、充電回路１５に、直接入力される。また、安全回路から出力される信号１２ｂは、充電回路１５及び放電スイッチ１６に、直接入力される。
【００５６】
メカニカルスイッチ７を操作することで出力される信号７ｂが、充電回路１５に入力されることで、充電回路１５は充電終了の条件を切り替える。すなわち、メカニカルスイッチ７を操作しない状態では、電池セル１１が満充電状態になるまで充電するが、メカニカルスイッチ７を操作した状態では、電池セル１１が所定の充電状態まで、例えば電池セル１１の容量において２０％乃至３０％程度の充電状態まで充電したら充電完了とする。
【００５７】
図６は、第２の実施形態に係る充電電圧・電流特性を示したグラフである。
【００５８】
図６のグラフにおいて、本第２の実施形態の発明に想到するに至るまで、電池セル１１を充電する際に用いていた充電電圧を示すラインｌ１、本第２の実施形態の発明に想到するに至るまで、電池セル１１を充電する際に用いていた充電電流を示すラインｌ２、本第２の実施形態の発明にかかわるとともに、電池セル１１を充電する際に用いる充電電圧を示すラインｌ３、本第２の実施形態の発明にかかわるとともに、電池セル１１を充電する際に用いる充電電流を示すラインｌ４が示されている。
【００５９】
本第２の実施形態の発明に想到するに至るまでに用いていた充電電流を示すラインｌ２を参照すると、規定電流値Ｉ０で定電流充電を開始している。しかしながら、メカニカルスイッチ７を操作した状態において、電池セル１１への充電を開始する場合、本第２の実施形態の発明にかかわるとともに、電池セル１１を充電する際に用いる充電電流を示すラインｌ４に示されるように、規定電流Ｉ０より小さい値である電流値Ｉ１で定電流充電を開始する。
【００６０】
充電電圧値が所定の充電状態（例えば、上記の２０％乃至３０％程度の充電状態）に対応する電圧値まで達すると、定電圧充電状態に移行する。すなわち、本第２の実施形態の発明にかかわるとともに、電池セル１１を充電する際に用いられる充電電圧を示すラインｌ３の電圧値がＶ２に達した時（時刻ｔ３）に、定電圧充電状態に移行する。
【００６１】
その後、充電電流値が充電終始判定電流Ｉｆｕｌｌに達すると、電池セル１１への充電を終了する。すなわち、本第２の実施形態の発明に係るとともに、電池セル１１を充電する際に用いられる充電電流を示すラインｌ４の電流値がＩｆｕｌｌに達した時（時刻ｔ４）に、充電は終了される。
【００６２】
上記で説明したとおり、本第２の実施形態の発明に想到するに至るまでに用いていた充電電流の値と比較して小さな値の充電電流を使用することで、充電することによって二次電池に与える負担を軽減することが可能となる。
【００６３】
さて、電池セル１１を所定の充電状態まで充電し、その後時間が経過すると、当該電池セル１１の自己放電等が行われる。当該電池セル１１の有する電圧値は低下する。電池セル１１の有する電圧値が所定の値まで低下したら、充電回路１５は電池セル１１への充電を開始する。すなわち、本第２の実施形態の発明に係るとともに、電池セル１１を充電する際に用いられる充電電圧を示すラインｌ３の電圧値がＶ３に達した時（時刻ｔ５）に、充電が開始される。
【００６４】
電池セル１１に対する充電は、電流値Ｉ１で定電流充電を開始する。充電電圧値が所定の充電状態に対応する電圧値まで達すると（時刻ｔ６）、定電圧充電状態に移行する。
【００６５】
上記で説明した電池セル１１が充電を再開する所定の電圧値は、次に説明する値を選択するのが好ましい。パーソナルコンピュータ１が稼動中において、例えば、停電等の理由でＡＣアダプタを介した電力供給が停止されたとしても、ユーザが手動で又は当該パーソナルコンピュータ１のシステムが自動的に処理中の仕事を停止させ、例えばハイバネーション状態にさせたり又はシャットダウンさせたりする間は、当該パーソナルコンピュータ１を稼動させるのに十分な電力が電池セル１１から供給可能である値が選択される。
【００６６】
図７は、第３の実施形態に係る充電電圧・電流特性を示したグラフである。
【００６７】
以下、第３の実施形態について説明する。第３の実施形態に係る電源部分の回路構成は、図５を用いて説明した第２の実施形態における電源部分の回路構成と同様である。
【００６８】
本第３の実施形態の発明に想到するに至るまで、電池セル１１を充電する際に用いていた充電電圧を示すラインｌ１、本第３の実施形態の発明に想到するに至るまで、電池セル１１を充電する際に用いていた充電電流を示すラインｌ２、本第３の実施形態の発明にかかわるとともに、電池セル１１を充電する際に用いる充電電圧を示すラインｌ５、本第３の実施形態の発明にかかわるとともに、電池セル１１を充電する際に用いる充電電流を示すラインｌ６が示されている。
【００６９】
本第３の実施形態の発明に想到するに至るまでに用いていた充電電流を示すラインｌ２を参照すると、規定電流値Ｉ０で定電流充電を開始している。しかしながら、メカニカルスイッチ７を操作した状態において、電池セル１１への充電を開始する場合、本第３の実施形態の発明にかかわるとともに、充電電池を充電する際に用いる充電電流を示すラインｌ６に示されるように、規定電流Ｉ０より十分小さい値の一定電流値Ｉ５で定電流充電を開始する。この定電流充電で使用される電流値Ｉ５は、充電電池からの自己放電や漏洩電流を考慮した値が選ばれる。
【００７０】
本第３の実施形態の発明の充電電圧は、本第３の実施形態の発明に想到するに至るまでに用いていた充電電圧を示すラインｌ１の時刻ｔ１以降のラインに示される定電圧充電段階を省略し、充電開始電圧値Ｖ７と充電終了電圧値Ｖ６とが接近する値を選択する。
【００７１】
定電圧充電を行わず、電池セル１１に対して、充電開始電圧値Ｖ７と充電終了電圧値Ｖ６とが接近した値となる、所定の一定値を有する定電流充電を行うことで、二次電池に対する負担を軽減することが可能となる。
【００７２】
尚、図５を用いて説明した第２及び第３の実施形態における電源部分の回路１０において、メカニカルスイッチ７から出力される信号を、直接、充電回路１５に入力することで、充電終了条件の切替え等の制御を行っている。しかし、この制御の仕方によっては、メカニカルスイッチ７から出力される信号を、充電回路１５に入力するのみならず、マイコン１８にも入力しても差し障りない。
【００７３】
さらに、充電回路１５が電池セル１１への充電を制御するのではなく、マイコン１８の具備するファームウェアが電池セル１１への充電を制御するようにしても差し障り無い。
【００７４】
また、第２及び第３の実施形態における充電終了電圧値及び充電開始電圧値の選び方は、パーソナルコンピュータ１の用途に応じて、所定の値を選択することが可能である。
【００７５】
例えば、充電終了電圧値として、電池セル１１に７０％程度充電された時の電池セル１１の有する電圧値を選択する。この場合、電池セル１１を満充電した場合と比較して、当該電池セル１１を充電することによる負担が軽減するので、電池セル１１の寿命は延長する。さらに、充電終了電圧値として、電池セル１１に７０％程度充電されたときの電池セル１１の有する電圧値を選択した場合、一時的にＡＣ電源から電力の供給を受けることが不可能であり、電池セル１１からのみ電力の供給を受けることが可能なモバイル用途において、メカニカルスイッチ７を元の状態に戻すことなく、パーソナルコンピュータ１を使用することが可能となる。
【００７６】
また、充電電池の充電設定容量を低く設定しておき、万一、ＡＣ電源からの電力の供給を受けることが不可能となった場合、パーソナルコンピュータ１を自動的にハイバネ−ション状態に移行させるようにしても差し障りない。
【００７７】
本発明ではその主旨を逸脱しない範囲であれば、上記の実施形態に限定されるものではない。そして、本発明の実施形態を説明するのに使用したパーソナルコンピュータに限らず、本発明に係る充電電池を搭載した機器に広く適用できるものである。
【００７８】
【発明の効果】
以上、詳述した発明によれば、充電電池の充放電を制御することが可能である。
【図面の簡単な説明】
【図１】本発明におけるパーソナルコンピュータを表す斜視図。
【図２】第１の実施形態に係る電源部分の回路を示した図。
【図３】スイッチング電源の内部構造を示した図。
【図４】第１の実施形態における制御手順を示すフローチャート。
【図５】第２の実施形態に係る電源部分の回路を示した図。
【図６】第２の実施形態に係る充電電圧・電流特性を示したグラフ。
【図７】第３の実施形態に係る充電電圧・電流特性を示したグラフ。
【符号の説明】
１…パーソナルコンピュータ、２…本体、３…表示部、４…ＬＣＤ、
５…入力部、６…二次電池パック、７…メカニカルスイッチ、
１０…電源部分の回路、１１…電池セル、１２…安全回路、
１３…第１のＯＲ回路、１４…第２のＯＲ回路、１５…充電回路、
１６…放電スイッチ、１７…入力部スイッチ、１８…マイコン、
１９…スイッチング電源、
【図１】
2005025408.tif 000003
【図２】
2005025408.tif 000004
【図３】
2005025408.tif 000005
【図４】
2005025408.tif 000006
【図５】
2005025408.tif 000007
【図６】
2005025408.tif 000008
【図７】
2005025408.tif 000009